(57)【要約】【課題】人の手指等の複雑な形状で動く物に対して、手指等を傷つけないで、スイッチ等を安定的に固定するスイッチ等固定装置を提供する。【解決手段】  スイッチ等固定装置が、スイッチ等を収容する収容部と、収容部とボディーを接続するの可動式接続部と、ボディー形状を決定する形状可変式の芯と、芯に追従する柔軟なボディーと、ボディーと手指等を固定する移動式のベルト２本と、ベルトを移動兼固定する装置と、スイッチ等の収容部とボディーの間の可動式接続部による第１の位置調節兼固定手段と、ボディーによるスイッチ等と手指等の間の第２の位置調節兼固定手段と、手指等に巻きつける可動式ベルトによるベルトとボディーの間の第３の位置調節兼固定手段と、可動式ベルトによるボディーと手指等の間の第４の位置調節兼固定手段とを備え、第１から第４の位置調節兼固定手段がそれぞれ独立して機能して、スイッチ等と手指等の相対的な位置調節と固定が出来るようにする。【選択図】図１
2013244393.tif 000002
【特許請求の範囲】
【請求項１】
スイッチ等を収容するスイッチ等収容部と、該スイッチ等収容部とボディーの芯をつなぐ接続部と、該ボディーの芯と、ボディーと、２本の固定ベルトと、そのうち一方の固定ベルトの留め具と、もう一方の固定ベルトの固定装置と、該固定ベルトの留め具と、前記スイッチ等収容部とボディーの相対的な位置を調節し且つ固定する第１の位置調節兼固定手段と、形状可変式のボディーによる前記第２の位置調節兼固定手段と、ボディーとベルトの相対的な位置を変える前記第３の位置調節兼固定手段と、ベルトと手指等の押すタイ的な位置を変える前記第４の位置調節兼固定手段とを備え、前記第１から第４の位置調節兼固定手段が独立して、スイッチ等と手指等の相対的位置の調節と固定を行うことができるスイッチ等固定装置
【発明の詳細な説明】
【技術分野】
【０００１】本発明は、人の手指等に対し、それらを傷つけずにスイッチ等を自由度６で位置調節しながら固定する装置に関する。
【背景技術】
【０００２】従来の技術には、建築物の柱や壁などに対しカメラ等を固定する装置や、人工物の自然木等のような不定型で不規則な形状のものに三次元で位置調整可能なカメラ等の固定装置がある。（例えば、特許文献１参照。）【０００３】以下、従来の固定装置について説明する。ほとんどの装置は、人体等を除く、人工的な構造物の壁、柱や植物にカメラ、スイッチ等を固定可能であった。
【先行技術文献】
【特許文献１】特許公開  ２００８−０８３６３４  三次元で位置調整可能なカメラ等の固定装置
【発明の概要】
【発明が解決しようとする課題】
【０００４】  従来の固定装置では、人体、生物の体に対して、それらを傷つけずにスイッチ等を安定的に、自由度６で位置調節可能な固定が出来なかった。【０００５】  本発明は、人の手指等に対して、それらを傷つけずに、スイッチ等を安定的に、三次元での位置調節しながら固定することを可能にすることを目的とする。
【課題を解決するための手段】
【０００６】スイッチ等固定装置が、スイッチ等を収容する収容部と、収容部とボディーを接続するの可動式接続部と、ボディー形状を決定する芯と、芯に追従する柔軟なボディーと、ボディーと手指等を固定する移動式のベルト２本と、ベルトを移動兼固定する装置と、スイッチ等の収容部とボディーの間の可動式接続部による第１の位置調節兼固定手段と、ボディーによるスイッチ等と手指等の間の第２の位置調節兼固定手段と、手指等に巻きつける可動式ベルトによるベルトとボディーの間の第３の位置調節兼固定手段と、可動式ベルトによるボディーと手指等の間の第４の位置調節兼固定手段とを備え、第１から第４の位置調節兼固定手段がそれぞれ機能し、手指等を傷つけずスイッチ等を任意の位置に固定できるようにする。
【発明の効果】
【０００７】本発明は、人の手指等に対して、それらを傷つけずに、スイッチ等を安定的に、三次元での位置調節と固定を可能にする。
【図面の簡単な説明】
【０００８】
【図１】全体図  斜投影図
【図２】全体図  側面図
【図３】全体図  下面図
【図４】全体図  上面図
【図５】Ａ−Ａ’断面図
【図６】ベルト▲１▼
【図７】ベルト▲２▼
【図８】使用時の全体図
【発明を実施するための形態】
【０００９】図においては、１は使用するであろうスイッチ等、２は針金等によるスイッチ等収容部、ボディーの芯、収容部と芯の接続部、３はウレタンフォーム等の柔軟性のある素材のボディー、４は直径５ｍｍ程度の柔軟な紐でできたベルト▲１▼、５はベルトの留め具、６は柔軟な布等でできたベルト固定装置、７は柔軟な布等で出来たベルト▲２▼、８はベルト▲２▼を留めるベルクロテープ等。
【００１０】上記第１の位置調節兼固定手段を構成するのは図に示す２で、スイッチ等収容部は針金等の先端を１のスイッチ等に差し込んで固定し、収容部とボディーの芯の接続部は、取り付け時の力では自由に曲げられるがスイッチ等の操作で発生する力では曲がらない範囲の１ｋｇ程度の力で曲がる硬さに設定する。例えば、ステンレス線＃２０等で構成するとその数値となる。そのため、スイッチ等は小さな力で作動するものを選択する。これにより、スイッチ等の部分は自由度３で位置調整可能となる。
【００１１】上記第２の位置調節兼固定手段を構成するのは、図３に示すように、３のボディーとそれに内蔵した２で、ボディーは手指等の状態に合わせて形状を変えることができ、先端に位置するスイッチ等の位置調節と固定をし、第１の位置調節兼固定手段と合わせて機能することで、自由度６の位置調節を可能にする。
【００１２】上記第３の位置調節兼固定手段を構成するのは、図に示す４のベルト▲１▼、５の留め具、６のベルト固定装置、７のベルト▲２▼、８のベルクロテープ等であり、ボディーとベルトとの相対的な位置を変える。ベルト▲１▼はボディーに長軸方向にはしる溝を貫通し、その溝の中で移動する。ベルト▲２▼は６のベルト固定装置に固定され、ベルト固定装置がボディーの長軸方向に移動する。該ベルト固定装置は布等の柔軟な素材で構成される円筒上のもので、その円周はボディーの円周と一致し、ウレタンフォーム等との摩擦の影響で、１ｋｇ以下の力では移動せず、それ以上の力で移動するものとなる。上記第４の位置調節兼固定手段を構成するのはベルト▲１▼とベルト▲２▼であり、ベルトと手との相対的な位置を変える。形状が複雑で動きの多い手指等にボディーを固定する際、ベルトを巻くことができる箇所は極めて限られるため、ボディーと手との相対的な位置の微調整は、第３と第４の位置調節兼固定手段が互いに補完することで可能になる。
【実施例】
【００１３】  厚生省の難病にも指定される筋萎縮性側索硬化症などの病気では、コミュニケーションツールとしてパソコン等が必要となるが、筋力が低下し手をスイッチの位置まで移動できず、なおかつ手指の屈曲伸展運動をしても先端部で１０ｍｍ程度しか移動できないケースも多い。そういったケースでは、スイッチを手指先端に可能な限り接近させ、その位置で固定することができる本発明の装置が必要となる。
【産業上の利用可能性】
【００１４】    筋萎縮性側素硬化症の患者は日本国内だけで６０００人を超え、その他の筋力低下を呈する疾患を加えると、本発明を必要とする者は数万人にのぼると考えられる。また、世界に目を向けるとその必要性はさらに大きなものとなる。
【符号の説明】
【００１５】１  スイッチ等
２  スイッチ収納部、収納部とボディー芯の接続部、ボディー芯
３  ボディー
４  固定ベルト▲１▼
５  固定ベルト▲１▼留め具
６  ベルト固定装置
７  固定ベルト▲２▼
８  固定ベルト▲２▼留め具
【図１】
2013244393.tif 000003
【図２】
2013244393.tif 000004
【図３】
2013244393.tif 000005
【図４】
2013244393.tif 000006
【図５】
2013244393.tif 000007
【図６】
2013244393.tif 000008
【図７】
2013244393.tif 000009
【図８】
2013244393.tif 000010